(57)【特許請求の範囲】
【請求項１】
記録されたファイルの再生終了を検出する検出手段と、
上記検出手段がファイルの再生終了を検出した場合に、そのファイルの消去に関する問い合わせをユーザに対して行う問い合わせ手段と、
上記問い合わせを行うか否かを含む上記問い合わせの手順、上記問い合わせの表示方法及び上記問い合わせの内容の少なくともいずれかについて変更を加えるための変更手段と、
を備え、
上記変更手段は、上記再生が記録中のファイルを再生する追っかけ再生であるかどうかに基づいて、上記変更を行う記録再生装置。
【発明の詳細な説明】
【０００１】
【発明の属する技術分野】
本発明は、動画や音声などの記録／再生を行う記録再生装置に関する。
【０００２】
【従来の技術】
従来、家庭でテレビ放送を記録／再生する装置としては、テープメディアを使ったビデオテープレコーダが代表的であった。最近では、光ディスクやハードディスクなどのディスクメディアを使ったＤＶＤレコーダやハードディスクレコーダが急速に普及しつつある。
【０００３】
ディスクメディアを使えば、テープメディアを使ったときのような巻き戻し作業をする必要がない。また、記録済みの番組を好きな順序で見ることや、見終わった番組を消去することも、ディスクメディアを使ったことで可能になった。テープメディアを使った記録再生装置では、記録済みの番組を消去するという機能がなく、別の番組を重ね撮りすることで、事実上、記録済みの番組が消去される。
【０００４】
ディスクメディアを使った記録再生装置では、番組に関するデータをファイル単位で管理するようになっているので、記録済みの番組は、そのファイル管理情報を書き換えることによって消去することができる。記録再生装置には、１つの番組を１つのファイルとして管理するものと、複数の番組を１つのファイルとして管理するもの（例えば、ＤＶＤ−ＲＡＭメディアを使ったＤＶＤレコーダ）がある。しかしながら、後者は、１つのファイル内で番組がどこから記録されているかなど、ファイル内部では１つの番組を１つのファイルとして管理しているのと同等の管理をするようになっている。よって、以下では、上記した２つの管理形態にかかわらず、ディスクメディアを使った記録再生装置は１つの番組を１つのファイルとして管理するものとして説明する。なお、以下では、「番組」という用語と「ファイル」という用語とを特に区別することなく使用する場合がある。また、番組を記録する場面を想定して説明する関係上、「記録」という用語と「録画」という用語とを特に区別することなく使用する場合がある。
【０００５】
まず、ディスクメディアに記録されたファイルを消去したい場合は、例えばリモコン等の操作手段に含まれるナビボタンを押す。なお、以下にいう各ボタンも、この操作手段に含まれる。
【０００６】
これによって、図１（ａ）に示すように、録画済みの番組のタイトル一覧画面S１が表示されるので、その中から「消去したい番組」をカーソルボタンで選択した後、決定ボタンを押す。例えば、２番目に録画されている番組「アニメ」を消去したい場合は、この番組「アニメ」を選択するためにカーソルボタン（下ボタン）を１回押した後、決定ボタンを押すことになる。そして、図１（ｂ）に示すように、いくつかのメニューM１が表示されると、上から３番目のメニュー「消去」を選択するためにカーソルボタン（下ボタン）を２回押した後、決定ボタンを押す。
【０００７】
これによって、図１（ｃ）に示すように、このファイルを消去してよいかどうかを問い合わせるためのダイアログが表示される。通常は、ファイルを誤って消去することを防ぐために、カーソルは「いいえ」を選択した状態になっている。したがって、さらにカーソルボタンを押すことによってカーソルが「はい」を選択するようにした後、決定ボタンを押す。
【０００８】
この例では、番組を消去するために、リモコンのボタンを少なくとも８回（ナビボタン１回→カーソルボタン１回→決定ボタン１回→カーソルボタン２回→決定ボタン１回→カーソルボタン１回→決定ボタン１回）は押すことになる。
【０００９】
なお、音声データの消去については、例えば特許文献１及び２に記載がある。
【００１０】
【特許文献１】
特開２００１−６７８３８号公報
【特許文献２】
特開２００２−１６２９９７号公報
【００１１】
また、テープメディアに記録した番組を保存しておきたい場合は、通常、テープメディアのツメを折ることで新たな書き込みを禁止しておく。ＤＶＤ−ＲＡＭメディアにも同様のツメがあり、メディア全体を書き込み禁止にすることができる。しかし、ＤＶＤ−ＲＷやハードディスクでは、このような手法で書き込み禁止を実現することができないので、ＤＶＤ−ＲＡＭを含めディスクメディアではソフトウェア的に書き込みを禁止（以下「プロテクト」という）することができるようになっている。
【００１２】
プロテクトの設定も、上記消去と同様、ファイル単位で行うことができる。すなわち、ナビボタンを押してタイトル一覧画面Ｓ１を表示し、その中から「プロテクトしたいファイル」をカーソルボタンで選択した後、決定ボタンを押す。これによって、いくつかのメニューM１が表示されるので、その中から「ロック」をカーソルボタンで選択した後、決定ボタンを押す。そして、このファイルをプロテクトしてもよいかどうかを問い合わせるためのダイアログが表示されると、カーソルは「いいえ」を選択した状態にあるので、さらにカーソルボタンを押すことによってカーソルが「はい」を選択するようにした後、決定ボタンを押す。これで、目的のファイルをプロテクトすることができる。
【００１３】
【発明が解決しようとする課題】
以上のように、従来の記録再生装置では、番組を消去したりプロテクトしたりするためにユーザは非常に多くの手順をふむ必要があった。
【００１４】
このような問題を解決するために、消去ボタンという消去専用のボタンを用意し、消去したい番組のタイトルを選択した後この消去ボタンを押すと、ファイルを消去してよいかどうかを問い合わせるためのダイアログを表示する記録再生装置が考えられる。このような記録再生装置によれば、図１（ｂ）で示したようなメニューM１の中から「消去」を選択するという手順を省略することができる。
【００１５】
同様に、ロックボタンというプロテクト専用のボタンを用意し、プロテクトしたい番組のタイトルを選択した後このロックボタンを押すと、ファイルをプロテクトしてよいかどうかを問い合わせるためのダイアログを表示する記録再生装置も考えられる。
【００１６】
しかしながら、上記の場合でも、番組を消去したりプロテクトしたりするためには非常に多くの手順をふむ必要があるので、このような記録再生装置によって、上記の問題が完全に解決されたとは言い難い。さらに、特許文献１及び２に記載された発明でも、再生終了時には消去に多くの手順が必要である。
【００１７】
特に、ＤＶＤレコーダなどのディスクメディアを使った記録再生装置では、番組を消去する機会が多くなる。これは、ＤＶＤレコーダやハードディスクレコーダでは、ニュースやスポーツなどの番組に対して、記録中の番組を再生する追っかけ再生の機能がよく利用されるためである。ニュースやスポーツなどの即時性の強い番組については、一度視聴されると、その番組を保存することよりも、ディスクメディアの限られた容量を他の番組の記録に利用することが優先される傾向がある。このため、追っかけ再生を利用してユーザが視聴した番組のほとんどは消去される。番組を消去する機会が多くなれば、それだけ上述の問題は重大になる。
【００１８】
本発明は、上記従来の事情に基づいて提案されたものであって、ファイルの消去あるいはプロテクトを簡便に行うことができる記録再生装置を提供することを目的とする。
【００１９】
【課題を解決するための手段】
本発明は、上記目的を達成するため、以下の手段を採用している。
【００２０】
本発明の記録再生装置において、検出手段は、記録されたファイルの再生終了を検出する。問い合わせ手段は、検出手段がファイルの再生終了を検出した場合に、このファイルの消去に関する問い合わせがユーザに対して行われる。消去手段は、その問い合わせに対してユーザが消去する旨の指示を出したとき、当該ファイルを消去すればよい。このように、ユーザは、問い合わせに対して指示を行うだけでよく、ファイルの消去を簡便に行うことができる。
【００２１】
また、変更手段が、問い合わせの手順、表示方法及び内容の少なくともいずれかについて変更を加えるようにしてもよい。問い合わせの手順の変更には、通常問い合わせを行っている場合に、その問い合わせを行わないことも含まれる。
【００２２】
変更手段は、例えばファイルの再生が追っかけ再生であるかどうか、再生されたファイルに関連する別のファイルが消去されたかどうか、又は再生されたファイルに関連する編集操作の内容に基づいて、問い合わせの形態についての変更を行うことができる。これらの場合、再生されたファイルの消去される可能性に従って、問い合わせの形態が変更されるので、ユーザは簡便にファイルを消去することができ、しかも誤ってファイルが消去されるのを回避したり、必要性のない問い合わせにユーザが答える機会を少なくしたりすることもできる。
【００２３】
さらに、変更手段は、ファイルが記録される記録媒体の空き容量に基づいて、問い合わせの形態についての変更を行うことができる。記録媒体の空き容量が十分あれば、ファイルを消去する必要性も少ない。従って、記録媒体の空き容量に基づいて変更を行えば、必要性が高いときに消去に関する問い合わせを行うことができる。
【００２４】
また、ユーザが、ファイルの記録を予約する場合に、そのファイルの再生終了時の処分内容を設定するための予約時処分設定手段を記録再生装置が備える場合には、変更手段は、その処分内容に基づいて、問い合わせの形態についての変更を行うようにしてもよい。これによって、ユーザは予約時に問い合わせの必要性などを指示することができる。
【００２５】
また、問い合わせ手段は、特定の操作が行われた場合に、検出手段がファイルの再生終了を検出していなくても、問い合わせを行うようにしてもよい。これによって、ユーザが意図したときにファイルの処分を簡便に決定することができる。
【００２６】
また、問い合わせ手段は、ファイルの消去に関する問い合わせの代わりに、そのファイルのプロテクトに関する問い合わせを行うこともできる。プロテクト手段は、問い合わせに対してユーザがプロテクトする旨の指示を出したとき、当該ファイルをプロテクトすればよい。このようにすれば、ファイルのプロテクトも簡便に行うことができる。
【００２７】
また、問い合わせに対して、ファイルを消去する指示をユーザから受けた場合に、そのファイルが消去される予定であることを示す消去予定情報を、記録されたファイルを管理するファイル管理情報に追加する手段と、消去予定情報の設定されたファイルを一覧に表示するかどうかを制御する画面出力処理手段とを、記録再生装置に設ける場合がある。
【００２８】
画面出力処理手段の制御によって、消去予定情報の設定されたファイルが一覧に表示されなければ、ユーザからは見かけ上ファイルは消去されたことになる。ファイルの実際の消去はしばらくたってから行えばよいので、ユーザが誤ってファイルを消去してしまっても、そのファイルを復活させることができる。ファイルを復活させる場合には、消去予定情報の設定されたファイルのみを一覧に表示するなどして、そこから復活するファイルをユーザが選択すればよい。また、画面出力処理手段の制御が行われない他の機器では、消去予定情報の設定されたファイルも表示されることになるので、その機器におけるファイルの処分の自由度も確保することができる。
【００２９】
この場合に、記録再生装置に、消去の優先度、及びファイルが記録される記録媒体の空き容量の少なくとも一方に基づいて、消去予定情報の設定されたファイルを消去する消去手段を備えてもよい。
【００３０】
これによって、見かけ上消去されても実際には消去されていないファイルがその必要性に応じて消去される。従って、記録媒体の限られた容量の範囲で、ファイルの復活について十分な可能性を確保することができる。
【００３１】
また、本発明は、記録再生装置だけでなく、記録再生方法も提供する。この記録再生方法では、記録されたファイルの再生終了を検出する手順が行われてから、ファイルの再生終了が検出された場合に、そのファイルの消去に関する問い合わせをユーザに対して行う手順が行われる。
【００３２】
さらに、本発明は、記録再生装置としての機能を当初から有していない組み込み機器やコンピュータをその記録再生装置として機能させるためのプログラムも提供する。このプログラムは、インターネットなどの電気通信回線を通じて流通したり、ＣＤ−ＲＯＭなどのコンピュータ読み取り可能な記録媒体に記録された状態で流通したりする。
【００３３】
【発明の実施の形態】
以下、図面にしたがって本発明の実施の形態を詳細に説明する。
【００３４】
（実施の形態１）
図２は、本実施の形態における記録再生装置１０の概略機能ブロック図であり、以下その構成を動作とともに説明する。なお、以下では、記録手段１２によって、ディスクメディア（以下、単に「メディア」という）１３に番組がファイル形式で記録されている状況を想定して説明する。
【００３５】
まず、記録された番組を再生するようにリモコン等の操作手段１１を用いてユーザが指示すると、この指示を受け付けた再生手段１４は、メディア１３上の特定位置に記録されているファイル管理情報を読み出し、目的のファイルがメディア１３上のどの位置から記録されているかを調べる。そして、目的のファイルが記録されている位置がわかったら、その位置からデータの読み出しを開始し、読み出したデータを画面出力処理手段１６に渡す（図３、ステップS４１）。
【００３６】
記録再生装置１０がＤＶＤレコーダやハードディスクレコーダである場合、メディア１３から読み出したデータはＭＰＥＧ２方式で圧縮されているので、ＭＰＥＧ２デコーダを経由させてそのデータを展開しておく必要があるが、このような技術は本発明と直接関係がないので、ここでは詳しい説明を省略する。
【００３７】
メディア１３からデータを読み出す処理は、操作手段１１に含まれる停止ボタンなどをユーザが押すことによって再生の中断を指示するか、あるいは、読み出し位置がファイルの終了に到達するまで続く（図３、ステップS４２：YES、あるいは、ステップS４３：YES）。読み出し位置がファイルの終了に到達したかどうかは、ファイル管理情報に基づいて判定することができる。
【００３８】
ここで、従来は、図４に示すように、読み出し位置がファイルの終了に到達したら、再生を停止していた（図４、ステップS３１→S３２：NO→S３３：YES→S３４）。再生が終了すると、そのまま何も表示しない代わりに待機画面を表示し続ける記録再生装置もある。この場合、待機画面は、再生とは別の操作が行われるまで表示されることになる。再生されたファイルを消去するには、ユーザは、図１を用いて既に説明した手順を行わなければならない。
【００３９】
それに対し、この実施の形態における記録再生装置１０は、読み出し位置がファイルの終了まで到達したことを検知したら、図５（ａ）に示すように、「このファイルを消去しますか」等のメッセージをダイアログDに表示することによって、再生していたファイルを消去するかどうかをユーザに問い合わせる（図６、ステップS４４→S４５）。
【００４０】
読み出し位置がファイルの終了まで到達し、ファイルの再生が終了したことを検出する手段は上記再生手段１４であってもよいし、この再生手段１４とは別個の手段であってもよい。また、上記ダイアログDを表示することによってユーザに問い合わせを行う手段は画面出力処理手段１６であってもよいし、この画面出力処理手段１６とは別個の手段であってもよい。
【００４１】
さて、上記のようにダイアログDが表示されると、ユーザは、操作手段１１に含まれるカーソルキーと決定キーとを使うことによって、ファイルを消去したければ「はい」を選択し、消去したくなければ「いいえ」を選択する。そして、「はい」が選択されたことを検知すると、消去手段１５が、再生していたファイルを消去するようになっている（図３、ステップS４６：YES→S４７）。
【００４２】
このように消去が行われた後の処理は特に限定されるものではない。すなわち、画面停止状態のままであってもよいし、タイトル一覧画面S１に戻るようにしてもよい。「いいえ」が選択された後の処理についても同様である（図３、ステップS４７：YES→S４８、ステップS４６：NO→S４８）。
【００４３】
以上のように、この記録再生装置１０は、再生を終了したときにファイル消去の問い合わせをユーザに対して行う。このようにすれば、上記従来のように、録画済みの番組のタイトル一覧画面S１を表示させる操作をし、その中から「消去したい番組」をカーソルボタンで選択したのち決定ボタンを押し、これによって幾つかのメニューM１が表示されると、その中から「消去」をカーソルボタンで選択したのち決定ボタンを押すという煩わしい操作をする必要がない。また、ユーザは、番組の内容を知ったうえでファイルを消去すべきかどうか判断することになるので、保存しておくべき番組を誤って消去してしまうという不具合を回避できるという効果もある。
【００４４】
なお、上記のように再生が終了したときにファイル消去を問い合わせる機能の有効／無効を、操作手段１１と設定手段１７とを介してユーザが自由に設定できるようにしてもよい。設定手段１７は、画面出力処理手段１６によって表示された設定項目に対してユーザが操作手段１１を用いて設定した内容を管理する。記録再生装置１０は、この設定内容に基づいてファイル消去の問い合わせを行うか否かを定めたりその他の動作を行ったりする。このようにすれば、初期出荷段階では、不用意なファイル消去を防止するために上記機能を無効にしておくことができる。そして、操作に慣れてきたことによって手順が多いことに不満がでてくると、そのユーザ自身が上記機能を有効にすることができる。
【００４５】
また、上記の説明では、ファイルの再生終了を検出したときにファイル消去を問い合わせることとしているが、本発明はこれに限定されるものではない。以下に説明するように、読み出し位置がファイルの終了に到達したときでなくても、ユーザがファイルの消去を望む場合がある。
【００４６】
例えば、番組本編が終了した後にコマーシャルが記録されている場合、ユーザは、コマーシャルを見てからファイルを消去するよりも、番組本編が終了したときに直ちにファイルを消去することを望む可能性が高い。
【００４７】
また、ハードディスクレコーダのように大容量のメディア１３を持つ記録再生装置１０が普及すると、見たい番組だけを記録するのではなく、とりあえず多数の番組を記録しておき、その中から見たいものだけを選択的に見るといった使用形態がとられることも予想される。そして、このような使用形態がとられた場合は、ある番組を少しだけ見たけれども興味がわかないので見るのをやめるといったことも予想される。
【００４８】
このように、ファイルの終了に到達したときでなくてもユーザがファイルの消去を望む場合がある。そこで、ファイルの終了を検出したときにファイル消去を問い合わせるのではなく、ファイル再生中に「消去」ボタンを押したり「停止」ボタンを２回続けて押したりするなど、特定の操作によって、番組を終了させたい旨の指示がユーザによって明示的に出された場合は、その時点でファイル消去を問い合わせるようにしてもよい。
【００４９】
特定の操作の内容は、記録再生装置１０に予め格納される。格納された内容は、デフォルトで設定された内容であってもよいし、ユーザが操作手段１１を用いて設定したものであってもよい。操作手段１１は、格納された内容に基づいて特定の操作が行われたかどうかを判定する。特定の操作が行われたと判定された場合、ファイルの再生終了が検出されていなくても、問い合わせが行われることになる。
【００５０】
また、特定の操作には、操作の対象や操作回数だけでなく、ファイル終了のｎ分前あるいはｎ秒前に「停止」ボタンが押されたかどうか（ｎ：０よりも大きい数）など、操作の時期もその要素として含められてもよい。
【００５１】
さらに、将来、テレビ放送において番組の終了を示す信号が付加されることになった場合は、その信号を用いて番組の終了時点を判断し、その時点でファイル消去の問い合わせをするようにしてもよい。
【００５２】
（実施の形態２）
上記実施の形態１で説明した記録再生装置１０によると、簡便にファイルを消去することができる。このような構成を採用する場合は、保存すべきファイルを誤って消去してしまったときの対応策を検討しておくのが好ましい。以下、本実施の形態を上記実施の形態１と異なる点のみ説明する。
【００５３】
まず、従来は、ファイル消去の処理要求があったとき、その要求対象であるファイルの情報をファイル管理情報から消去することでファイル消去を実現するようになっていた。すなわち、ファイルのデータそのものはメディア１３上に残っているが、このデータを記録している領域は、ファイル管理情報では未使用扱いとされている（事実上、消去されたことと同じになっている）ため、次の記録時に上書きされるようになっている。
【００５４】
それに対し、本実施の形態では、消去手段１５が、ファイル消去をする必要が生じたら、そのファイル管理情報に、消去予定であることを意味する情報（以下「消去予定情報」という）を追加する。
【００５５】
消去予定とされたファイルは、ファイル管理情報から消去されたわけではないため、そのデータ部が上書きされてしまうことはない。また、画面出力処理手段１６は、消去予定とされたファイルをタイトル一覧画面S１に表示しないので、通常の手順では再生できない。すなわち、消去予定とされたファイルは、ユーザからすると、上記従来手法で消去したファイルと同じように見える。
【００５６】
さらに、この実施の形態における記録再生装置１０では、消去予定とされたファイルのみを一覧表示させる機能を備えている。この場合、画面出力処理手段１６は、一覧に消去予定とされたファイルのみ表示するための制御を行う。そして、この消去予定ファイル一覧画面を見たユーザがファイルを復活させる旨の指示をユーザが出した場合、消去手段１５は、このファイルの消去予定情報をクリアする。このように消去予定情報がクリアされたファイルは通常のファイルと同じであるから、事実上、ファイルの復活ができたことになる。
【００５７】
以上のように、本実施の形態によると、上記実施の形態１と同様にファイルを簡便に消去することができるのはもちろん、保存すべきファイルを誤って消去してしまったときにも、このファイルを復活することができる。
【００５８】
なお、上記の説明では特に言及しなかったが、消去手段１５は、ファイルが記録されるメディア１３の空き容量が少なくなってきたら、通常のファイルよりも消去予定のファイルを優先的に消去するようになっている。この場合、メディア１３の空き容量には、消去予定のファイルのサイズを含めないようにしておく。
【００５９】
消去予定のファイルが複数存在する場合に如何なる基準でファイルを消去するか（消去の優先度）については、録画予約で指定された事項（録画開始時間・録画終了時間・録画モードなど）に基づいて決定すればよい。これら情報を参照すれば、いつまでにどれだけの空き容量を確保しておく必要があるか判断することができる。
【００６０】
ファイル管理情報に、消去予定とされた時間を表した情報（以下「消去時間情報」という）を追加しておき、一定期間を経過したファイルから順に消去していくようにしてもよい。また、録画時に、この録画をするに必要なディスク容量あるいは所定のディスク容量が確保できるように、古い消去予定ファイルから順に消去していくようにしてもよい。さらに、サイズの大きいファイルや、必要とされるディスク容量に最も近いサイズのファイルを検索して消去するようにしてもよい。もちろん、録画をするに必要なディスク容量が確保できない場合には、消去予定のファイルを全て消去するのが妥当である。このようにすれば、消去予定のファイルがいつまでもメディア１３上に存在しているという不具合が生じない。
【００６１】
なお、上記消去時間には、年／月／日／時間のすべてを含める必要はない。例えば、月日だけを消去時間に含めるようにしてもよいし、あるいは、記録再生装置１０のシステムが持つタイマの値を消去時間としてもよい。
【００６２】
また、消去予定のファイルは、メディア１３交換時や、記録再生装置１０の電源のオフ時あるいは電源オン時に消去されるようにしてもよい。この場合、消去予定情報はメディア１３上に記録しておかなくても、記録再生装置１０のメモリ内に保持しておくだけでもよい。このように、消去予定のファイルを復活することができる期間を、当該消去予定を指示したユーザが把握できる期間とすれば、消去したつもりになっていたファイルを他人が復活させて参照するといった問題を解決することができる。
【００６３】
ところで、上記した技術と類似する技術として、パソコン用のＯＳが備える「ゴミ箱」と呼ばれる機能がある。このゴミ箱機能では、ユーザによって消去指示がされたファイルの管理情報は消去してしまうものの、そのデータそのものは事前に専用のディレクトリへ移動させるようになっている。
【００６４】
すなわち、上記ゴミ箱機能によっても、専用のディレクトリに蓄積されているファイルの容量が一定量を超えるまでは、ユーザによって消去指示がされたファイルを復活させることができる。したがって、本発明で採用しているファイル消去／復活機能は、復活可能という点では、従来のゴミ箱機能と類似しているようにも思える。
【００６５】
しかしながら、ゴミ箱機能によってメディア１３上のファイルを消去した場合、このメディア１３を、ゴミ箱機能をサポートしていないパソコンに装着したとしても、当該消去済みファイルを見ることはできない。上記したように、ゴミ箱機能では、ユーザによって消去指示がされたファイルの管理情報は消去してしまい、また、そのデータそのものは事前に専用のディレクトリへ移動させるようになっているからである。当然、ゴミ箱機能をサポートしていないパソコンからは、ゴミ箱を空にすることができないという問題もある。
【００６６】
そこで、本発明では、上記したように、新たに消去予定情報をファイル管理情報に追加することによってファイル消去を実現するとともに、ファイル管理情報から消去予定情報を削除することによってファイル復活を実現するようにした。このようにすれば、本発明で採用しているファイル消去／復活機能をサポートしていないＤＶＤレコーダからメディア１３に記録された消去予定のファイルを見ると、この消去予定ファイルは、消去されていない通常のファイルとして見える。したがって、このようなＤＶＤレコーダからも消去予定のファイルを消去できることになるのはいうまでもない。
【００６７】
以上のように、本発明で採用しているファイル消去／復活機能は、パソコン用のＯＳが備えているゴミ箱機能ではなく、どちらかといえばファイルの非表示機能に近い。一般的なパソコン用のＯＳでも、拡張子やその他の属性をフィルタに利用するファイルの非表示機能は備えているが、本発明のように、ディスク容量が足りなくなった場合にファイルを消去する等の機能は備えていないのが現状である。
【００６８】
なお、上記の説明では特に言及しなかったが、本当に消去するか、あるいは、消去予定として見かけ上だけ消去したようにするかをファイル消去時にユーザに問い合わせるようにしてもよい。
【００６９】
また、上記の説明では、消去予定のファイルはタイトル一覧画面S1に表示しないこととしているが、本発明はこれに限定されるものではない。すなわち、消去予定のファイルをタイトル一覧画面S1に表示するようにしてもよいし、さらには、消去予定の解除もタイトル一覧画面S１から行えるようにしてもよい。ただし、この場合は、消去予定であることを示すマークを消去予定ファイルのタイトル表示の近傍に付しておく等、消去予定のファイルと通常のファイルとを容易に見分けることができるようにしておく。
【００７０】
（実施の形態３）
図７に示すように、この実施の形態における記録再生装置１０は、プロテクト手段１８を備えており、メディア１３に記録した番組をプロテクトすることができる。ファイルを保存しておきたいと判断するのは、ファイルを消去したいと判断する場合と同様、その番組を見終わったときが多い。
【００７１】
そこで、ファイルの再生終了が検出された場合に、ファイルの消去に関する問い合わせの代わりに、そのファイルのプロテクトに関する問い合わせを行うようにしてもよい。
【００７２】
例えば、読み出し位置がファイルの終了まで到達したことを検知したら、図５（ｂ）に示すように、「このファイルをプロテクトしますか」等のメッセージをダイアログDに表示する。これによって、再生していたファイルをプロテクトするかどうかがユーザに問い合わされる（図６、ステップＳ５１→Ｓ５２：ＮＯ→Ｓ５３：ＹＥＳ→Ｓ５４→Ｓ５５）。
【００７３】
上記実施の形態１で説明したように、読み出し位置がファイルの終了まで到達したことを検出する手段は上記再生手段１４であってもよいし、この再生手段１４とは別個の手段であってもよい。また、上記ダイアログDを表示する手段は画面出力処理手段１６であってもよいし、この画面出力処理手段１６とは別個の手段であってもよい。
【００７４】
さて、上記のようにダイアログDが表示されると、ユーザは、操作手段１１に含まれるカーソルキーと決定キーとを使うことによって、ファイルをプロテクトしたければ「はい」を選択し、プロテクトしたくなければ「いいえ」を選択する。そして、「はい」が選択されたことを検知すると、プロテクト手段１８は、再生していたファイルをプロテクトする（図６、ステップＳ５６：ＹＥＳ→Ｓ５７）。
【００７５】
このようにプロテクトが行われた後の処理は特に限定されるものではない。すなわち、画面停止状態のままであってもよいし、タイトル一覧画面Ｓ１に戻るようにしてもよい。「いいえ」が選択された後の処理についても同様である（図６、ステップＳ５７→Ｓ５８、Ｓ５６：ＮＯ→Ｓ５８）。
【００７６】
以上のように、この実施の形態における記録再生装置では、再生を終了したときにファイルプロテクトの問い合わせが行われる。
【００７７】
このようにすれば、上記従来のように、録画済みの番組のタイトル一覧画面S１を表示させる操作をし、その中から「プロテクトしたい番組」をカーソルボタンで選択したのち決定ボタンを押し、これによって幾つかのメニューM１が表示されると、その中から「ロック」をカーソルボタンで選択したのち決定ボタンを押すという煩わしい操作をする必要がない。また、ユーザは、番組の内容を知ったうえでファイルをプロテクトすべきかどうか判断することになるので、消去してもかまわない番組を誤ってプロテクトしてしまうという不具合を回避できるという効果もある。
【００７８】
なお、上記のように再生が終了したときにファイルプロテクトを問い合わせる機能の有効／無効を、操作手段１１と設定手段１７とを介してユーザが自由に設定できるようにしてもよい。このようにすれば、初期出荷段階では、不用意なファイルプロテクトを防止するために上記機能を無効にしておくことができる。そして、操作に慣れてきたことによって手順が多いことに不満がでてくると、そのユーザ自身が上記機能を有効にすることができる。
【００７９】
さらに、上記の説明では、ファイルの再生終了を検出したときにファイルプロテクトを問い合わせることとしているが、本発明はこれに限定されるものではない。以下に説明するように、読み出し位置がファイルの終了に到達したときでなくても、ユーザがファイルのプロテクトを望む場合がある。
【００８０】
例えば、番組本編が終了した後にコマーシャルが記録されている場合、ユーザは、コマーシャルを見てからでなくても、番組本編が終了したときに直ちにファイルをプロテクトすることを望む可能性が高い。
【００８１】
また、見たい番組だけを録画するのではなく、とりあえず多数の番組を録画しておき、その中から見たいものだけを選択的に見るといった使用形態がとられた場合は、ある番組を少しだけ見て興味がわいたらその時点で当該ファイルをプロテクトするといったことも予想される。
【００８２】
このように、読み出し位置がファイルの終了に到達したときでなくても、ユーザがファイルのプロテクトを望む場合がある。そこで、読み出し位置がファイルの終了を検出したときにファイルプロテクトを問い合わせるのではなく、ファイル再生中に「プロテクト」ボタンを押したり、「停止」ボタンを２回続けて押したりするなどの特定の操作によって、番組を終了させたい旨をユーザが明示的に指示した場合は、その時点でファイルプロテクトを問い合わせるようにしてもよい。
【００８３】
消去の場合と同様、特定の操作には、ファイル終了のｎ分前あるいはｎ秒前に「停止」ボタンが押されたかどうか（ｎ：０よりも大きい数）など、操作の時期もその要素として含めてもよい。
【００８４】
さらに、将来、テレビ放送において番組の終了を示す信号が付加されることになった場合は、その信号を用いて番組の終了時点を判断し、ファイルプロテクトの問い合わせをするようにしてもよい。
【００８５】
（実施の形態４）
上記の説明では、ファイルの再生終了が検出された場合、そのファイルを消去するかどうか又はそのファイルをプロテクトするかどうかが問い合わせされた。ファイルの消去又はプロテクトに関する問い合わせの形態は、一つである必要はない。図５（ａ）及び（ｂ）に示した問い合わせが通常行われている場合に、それらとは異なる形態の問い合わせが行われるようにしてもよい。
【００８６】
この実施の形態における記録再生装置１０は、図８に示すように、変更手段１９を備えている。この変更手段１９は、問い合わせの手順、表示方法及び内容の少なくともいずれかについて変更を加え、問い合わせ手段２０は、変更手段１９が問い合わせの形態について変更を加えた場合、変更された問い合わせをユーザに対して行う。
【００８７】
変更手段１９は、例えばファイルの再生が追っかけ再生であるか通常の再生であるかに基づいて、問い合わせの形態について変更を加える。ファイルの再生が追っかけ再生であるか通常の再生であるかについての情報を、変更手段１９は、記録手段１２及び再生手段１４から得ることもできるし、操作手段１１から得ることもできる。ここでは、問い合わせ手段２０は、追っかけ再生の場合にのみ消去に関する問い合わせを行う。通常の再生の場合、変更手段１９が問い合わせの手順を変更することによって、問い合わせ手段２０は、消去に関する問い合わせを行わない。
【００８８】
このように問い合わせの手順について変更が行われる場合、追っかけ再生の場合、すなわちファイルが消去される可能性の高い場合にのみ、問い合わせが行われることになる。従って、ファイルが消去される可能性が高い場合には、ユーザは簡便にファイルを消去することができるし、ファイルが消去される可能性が低い場合にユーザは問い合わせに答える必要がない。
【００８９】
また、変更手段１９は、再生された番組と関連する別の番組のファイルが消去されたかどうか又はプロテクトされたかどうかに基づいて、問い合わせの形態について変更を加えるようにしてもよい。例えば再生された番組が連続番組を構成する場合、その連続番組を構成する別の番組は、再生された番組と関連する。ジャンルやキーワードが共通又は類似する番組も互いに関連する。
【００９０】
ここでは、問い合わせ手段２０は、上述のような別の番組のファイルが記録されていないか別の番組のファイルが消去されていれば、消去に関する問い合わせを１回行う。一方、別の番組のファイルが消去されていなければ、変更手段１９は問い合わせの手順及び内容について変更を加える。これによって、問い合わせ手段２０は、消去に関する問い合わせを行った後、再確認の問い合わせを行う。
【００９１】
これは、再生された番組と関連する別の番組のファイルが消去されていなければ、再生された番組も消去されない可能性が高いためである。
【００９２】
変更手段１９は、毎週放送される連続番組の一つが再生された場合、その連続番組を構成する別の番組を、メディア１３に記録されたデータの管理情報に基づいて識別することができる。この管理情報には、放送チャンネル、放送時間帯及び放送曜日などの情報が番組毎に含まれるから、変更手段１９は、これら３つの情報が一致する番組があるか否かを確認すればよい。放送番組に対してシリーズ識別子やキーワード、ジャンルなども受信機により受信され、その番組の記録時にこれらも管理情報に追加されている場合には、変更手段１９は、キーワードやジャンルを利用して関連する番組を検索することもできる。
【００９３】
また、メディア１３にそのとき記録されている番組についてだけ管理情報を残しておけば、変更手段１９は、別の番組が消去されていない場合と、別の番組が一度も記録されていない又は別の番組が記録されてから消去された場合とを区別することができる。別の番組が一度も記録されていない場合と別の番組が記録されてから消去された場合とを区別する必要がある場合には、例えば番組の本体データが消去されても管理情報を残しておけばよい。
【００９４】
変更手段１９が問い合わせの手順及び内容について変更を加えると、問い合わせ手段２０は、そのファイルを消去するかどうかをユーザに問い合わせるだけでなく、その問い合わせに対してファイルを消去する旨の指示がユーザからあったときに、そのファイルを消去するかどうかを再度問い合わせる。図５（ａ）に示すダイアログでの「このファイルを消去しますか」という問い合わせに対し、ユーザが「はい」を選択しても、例えば「先週放送分が未視聴です。本当に消去してもよいですか」と問い合わせが再度行われる。この問い合わせに対し、ユーザが再度「はい」を選択しなければ、消去手段１５は、ファイルを消去しない。
【００９５】
ユーザが問い合わせされることに慣れた場合、問い合わせの形態が常に同じであると、いつもの通りについ消去を指示する危険性がある。このように問い合わせの形態について変更を加えることによって、ユーザが消去するつもりのないファイルを誤って消去してしまうのを避けることができる。しかも、再生された番組と関連する別の番組のファイルが消去されているか記録されていなければ、その番組の再生終了時に問い合わせが自動的に行われるため、ユーザは簡便にファイルの消去を行うことができる。
【００９６】
また、再生された番組と関連する別の番組のファイルが消去されていれば、再生されたファイルも消去される可能性が高い。このため、再生された番組と関連する別の番組のファイルが消去されている場合に、変更手段１９が追っかけ再生の例と同様に変更を行うことによって、その場合にのみ問い合わせ手段２０が消去に関する問い合わせを行うようにしてもよい。さらに、変更手段１９が問い合わせの内容について変更を加えることによって、別の番組のファイルが消去されている場合に、問い合わせ手段２０が消去に関する問い合わせを行い、別の番組のファイルが消去されていない場合に、プロテクトに関する問い合わせを行うようにしてもよい。
【００９７】
また、番組のタイトルを入力したり、サムネイル画面を設定していたり、ファイルのダビングや編集を行っていたりするなど、そのファイルが再生される前にそのファイルに関連して特定の編集操作をユーザが行っている場合にも、そのファイルは消去されない可能性が高い。
【００９８】
このため、変更手段１９が、再生されたファイルに関連する編集操作の内容に基づいて、問い合わせの形態について変更を加えるようにしてもよい。変更手段１９は、例えば操作手段１１の出力から編集操作の内容を取得し、その内容を予め記憶された内容と比較することによって、再生されたファイルに関連して特定の操作が行われたかどうかを判定することができる。
【００９９】
再生されたファイルに関連して特定の操作が行われていると判定した場合には、変更手段１９が問い合わせの形態について変更を加えることによって、再生されたファイルと関連する別のファイルが消去されていない例と同様に、問い合わせを行った後、再確認を行う。
【０１００】
なお、再生されたファイルに関連して特定の操作が行われた場合や再生された番組と関連する別の番組のファイルが消去されていない場合にのみ、問い合わせを行わないようにしてもよい。自動的な問い合わせを行わないことによって、問い合わせが行われる場合よりも手順が増えるから、これによっても、ユーザが消去するつもりのないファイルを誤って消去してしまうのを避けることができる。
【０１０１】
また、ファイルが記録されたメディア１３の空き容量が十分ある場合には、ファイルを消去する必要性は少ない。このため、変更手段１９は、ファイルが記録された記録媒体の空き容量に基づいて、問い合わせの形態について変更を加えるようにしてもよい。ここでは、問い合わせ手段２０は、ファイルの再生が終了した時点でのメディア１３の空き容量が所定量以下である場合にのみ消去に関する問い合わせを行う。所定量には、デフォルトの値を用いても良いし、ユーザが設定した値を用いてもよい。変更手段１９は、ファイルの再生が終了した時点でメディア１３の空き容量が所定容量より大きければ、問い合わせの手順について変更を加えるので、追っかけ再生の例と同様に、問い合わせ手段２０は、消去に関する問い合わせを行わない。これによって、ユーザが問い合わせに対して指示を行う機会自体も少なくでき、ユーザの負担はさらに軽減される。
【０１０２】
なお、上述の例では、問い合わせの手順及び内容について変更が行われたが、問い合わせの表示方法について変更手段１９が変更を加えるようにしてもよい。表示方法についての変更には、ダイアログの位置や形状、色、ダイアログ中の文字の色や太さの変更やダイアログを点滅表示させる変更などが含まれる。また、問い合わせの手順についての変更には、問い合わせの回数の他、問い合わせの順番の変更を含めてもよい。
【０１０３】
また、上記の例では、再生されたファイルを消去するかどうかの問い合わせが行われたが、その際に他のファイルを消去するかどうかも問い合わせるようにしてもよい。例えば再生された番組の録画日時が１年以上前である場合に、その番組の再生終了時点の問い合わせに対してユーザが「消去」する選択を行うと、「１年以上前に記録された他の番組も削除しますか」という問い合わせを行うダイアログをさらに表示するようにしてもよい。このように消去されるファイルに関連する別のファイルについても問い合わせを行うことによって、ユーザの操作負担を軽減することができる。
【０１０４】
また、消去又はプロテクトの問い合わせに対して「いいえ」と選択されたファイルは今後も消去又はプロテクトされない可能性が高いので、一度「いいえ」と選択されたファイルについては、そのファイル管理情報に「選択済み」を意味する情報を設定しておくようにしてもよい。このようにすれば、以降は、このファイルの終了を検出しても、上記したファイル消去又はファイルプロテクトの問い合わせをしないようにすることができる。
【０１０５】
（実施の形態５）
本実施の形態では、図９に示すように、録画予約設定画面Ｓ２において、再生終了時に実行すべき処分の内容を設定する項目を追加するようにした。ここでいう処分の対象は、録画予約したファイルである。
【０１０６】
これによって、ユーザは、番組を保存しておきたい場合には当該ファイルをプロテクトする旨の設定をし、一方、消去してもよい場合には当該ファイルを消去（あるいは消去予定）する旨の設定をする。録画予約時にユーザは処分の内容を決定できない場合があるけれども、その場合は、例えば「−」を設定する等、消去でもプロテクトでもない設定にしておけばよい。
【０１０７】
図１０に示すように、この実施の形態における記録再生装置１０は、予約時処分設定手段２１を備えており、上述のような設定は、この予約時処分設定手段２１によって実現される。予約時処分設定手段２１は、ユーザが、ファイルの記録を予約する場合に、そのファイルの再生終了時の処分内容を設定するのに用いられる。設定先は、録画予約情報を保存しているメモリ（図示せず）であってもメディア１３であってもよい。
【０１０８】
さて、再生終了時にプロテクトする旨をユーザが指示した場合、この指示を受け付けた予約時処分設定手段２１は、その番組のファイル管理情報にプロテクトの設定をする。もちろん、ファイル管理情報にプロテクトの設定をするタイミングは、その番組の録画開始時でも録画終了時でもよく特に限定されるものではない。なお、このようにプロテクトの設定がされた番組を最後まで再生し終えた場合には、実施の形態４における変更手段１９によって、ファイル消去のダイアログDを表示しないようにようにしておく。変更手段１９が、設定された処分内容に基づいて、問い合わせの形態についての変更を行うことによって、ユーザは予約時に問い合わせの必要性などを指示することができる。
【０１０９】
一方、再生終了時に消去する旨をユーザが指示した場合、この指示を受け付けた予約時処分設定手段２１は、その番組のファイル管理情報に消去の設定をする。もちろん、ファイル管理情報に消去の設定をするタイミングも、その番組の録画開始時でも録画終了時でもよく特に限定されるものではない。なお、このように消去の設定がされた番組を最後まで再生し終えたら、当該ファイルを消去するようにしてもよいが、当該ファイルに消去予定の設定をして見かけ上消去するようにしてもよい。
【０１１０】
同様に、再生終了時に「消去予定」とする旨をユーザが指示した場合、この指示を受け付けた予約時処分設定手段２１は、その番組のファイル管理情報に消去予定の設定をする。もちろん、ファイル管理情報に消去予定の設定をするタイミングも、その番組の録画開始時でも録画終了時でもよく特に限定されるものではない。
【０１１１】
このように録画予約時点で「消去予定」の設定がされたファイルは、一度も再生されなくても、一定期間が経過した場合やディスク容量が足りなくなったりした場合には消去されることになる。このことを考えると、録画予約時点で「消去予定」の設定ができる形態は、本当に見たい番組ではないけれども時間があれば見るといった、要求としては低いレベルの番組を録画しておく場面で有効であり、また、録画したファイルの重要度を知るうえでも有効であるといえる。
【０１１２】
さらに、消去の設定もプロテクトの設定もされなかった番組については、この番組を最後まで再生し終えたときに、ファイル消去を問い合わせるためのダイアログＤあるいはファイルプロテクトを問い合わせるためのダイアログDを表示する。
【０１１３】
以上のように、本実施の形態では、録画予約設定画面Ｓ２において、再生終了時に実行すべき処分の内容を設定する項目を追加するようにした。このようにすれば、ファイルを消去あるいはプロテクトするかどうかという設定と録画予約設定とをまとめて行うことができる。
【０１１４】
なお、上記の説明では、録画予約時にファイル消去やファイルプロテクトの設定をした時は自動的にファイルを消去あるいはプロテクトをすることとしているが、本発明はこれに限定されるものではない。すなわち、ファイル消去やファイルプロテクトを問い合わせるためのダイアログDを表示してユーザに選択してもらうようにしてもよい。そして、ユーザが何も設定しなかった場合には、ファイル再生を終了するだけでダイアログDは表示しないようにしてもよい。
【０１１５】
また、図９では、１つの設定項目で「消去」「プロテクト」「何もしない」を選択できる形態を例示したが、複数の設定項目を作り、それぞれの項目を独立して設定できるようにしてもよい。加えて、「消去」「プロテクト」の両方を選択できなくても（すなわち、「消去」「プロテクト」の片方だけでも）よいのはもちろんである。
【０１１６】
【発明の効果】
以上のように、本発明では、再生を終了したときにファイル消去の問い合わせをするようにしたので、従来に比べてファイルを消去する手順を大幅に省略することができる。しかも、ユーザは、番組の内容を知ったうえでファイルを消去すべきかどうか判断することになるので、保存しておくべき番組を誤って消去してしまうという不具合を回避できるという効果もある。
【０１１７】
さらに、ファイルの再生が追っかけ再生であるか否かなど、再生されたファイルの必要性に基づいて、問い合わせの形態について変更を加えることによって、ユーザが簡便にファイルを消去することができ、しかも誤ってファイルが消去されるのを回避したり、必要性のない問い合わせにユーザが答える機会を少なくしたりすることができる。
【０１１８】
また、ファイルが記録される記録媒体の空き容量に基づいて問い合わせの形態について変更を加えれば、必要性が高いときに消去に関する問い合わせを行うことができる。
【０１１９】
また、ファイルの記録の予約時に設定された再生終了時の処分内容に基づいて問い合わせの形態について変更が行われる場合、ユーザは予約時に問い合わせの必要性などを指示することが可能となる。
【０１２０】
また、特定の操作が行われた場合に、ファイルの再生終了が検出されていなくても、問い合わせが行われることによって、ユーザが意図したときにファイルの処分を簡便に決定することができる。
【０１２１】
また、本発明では、再生を終了した時点でファイルプロテクトの問い合わせをするようにしたので、従来に比べてファイルをプロテクトする手順を大幅に省略することができる。しかも、ユーザは、番組の内容を知ったうえでファイルをプロテクトすべきかどうか判断することになるので、消去してもかまわない番組を誤ってプロテクトしてしまうという不具合を回避できるという効果もある。
【０１２２】
また、ファイルを消去する指示をユーザから受けても、実際の消去を一時的に行わず、そのファイルが消去される予定であることを示す消去予定情報をファイル管理情報に追加し、さらにその消去予定情報の設定されたファイルの一覧への表示を制御する場合、ユーザが誤ってファイルを消去してしまっても、そのファイルを復活させることができる。しかも、画面出力処理手段の制御が行われない他の機器では、消去予定情報の設定されたファイルも表示されることになるので、その機器におけるファイルの処分の自由度も確保することができる。
【０１２３】
さらに、この場合に、消去の優先度及び記録媒体の空き容量の少なくとも一方に基づいて、消去予定情報の設定されたファイルを消去すれば、記録媒体の限られた容量の範囲で、ファイルの復活について十分な可能性を確保することができる。
【図面の簡単な説明】
【図１】従来のファイル消去の手順の例
【図２】実施の形態１または２における記録再生装置の概略機能ブロック図
【図３】本発明におけるファイル再生終了時のフローチャート
【図４】従来のファイル再生終了時のフローチャート
【図５】本発明におけるファイル再生終了時に表示されるダイアログDの例
【図６】本発明におけるファイル再生終了時のフローチャート
【図７】実施の形態３における記録再生装置の概略機能ブロック図
【図８】実施の形態４における記録再生装置の概略機能ブロック図
【図９】本発明における録画予約設定画面の例
【図１０】実施の形態５における記録再生装置の概略機能ブロック図
【符号の説明】
１０  記録再生装置
１１  操作手段
１２  記録手段
１３  メディア
１４  再生手段
１５  消去手段
１６  画面出力処理手段
１７  設定手段
１８  プロテクト手段
１９  変更手段
２０  問い合わせ手段
２１  予約時処分設定手段
Ｄ    ダイアログ
Ｓ１  タイトル一覧画面
Ｓ２  録画予約設定画面
【図１】
0004133273.tif 000002
【図２】
0004133273.tif 000003
【図３】
0004133273.tif 000004
【図４】
0004133273.tif 000005
【図５】
0004133273.tif 000006
【図６】
0004133273.tif 000007
【図７】
0004133273.tif 000008
【図８】
0004133273.tif 000009
【図９】
0004133273.tif 000010
【図１０】
0004133273.tif 000011